(57)【要約】    【課題】  画像表示部を有する画像表示手段と可動電飾手段とを融合させて、比較的簡単な構造で多様性に富んだインパクトのある演出を行うようにする。    【解決手段】  演出図柄３２ａ〜３２ｃを可変表示する画像表示部２１を有する画像表示手段１３と、画像表示部２１の近傍に配置され且つ所要方向に演出動作可能な可動電飾手段１８とを備え、可動電飾手段１８はその前面に帯状又は筋状の発光表示部３５を有し、所定の遊技状態のときに可動電飾手段１８の演出動作に同期して発光表示部３５を発光表示させ且つ画像表示部に２１に演出画像３３を発光表示させる演出制御手段を備える。記可動電飾手段１８は前後方向の軸心廻りに回転又は揺動可能な可動電飾体３７を有し、画像表示部２１は発光表示部３５が画像表示部２１に対応するときに演出画像３３を発光表示する。【選択図】  図２
2010119558.tif 000002
【特許請求の範囲】
【請求項１】
演出図柄（３２ａ〜３２ｃ）を可変表示する画像表示部（２１）を有する画像表示手段（１３）と、前記画像表示部（２１）の近傍に配置され且つ所要方向に演出動作可能な可動電飾手段（１８）とを備え、前記可動電飾手段（１８）はその前面に帯状又は筋状の発光表示部（３５）を有し、所定の遊技状態のときに前記可動電飾手段（１８）の演出動作に同期して前記発光表示部（３５）を発光表示させ且つ前記画像表示部に（２１）に演出画像（３３）を発光表示させる演出制御手段（７５，７６）を備えたことを特徴とする遊技機。
【請求項２】
前記可動電飾手段（１８）は前後方向の軸心廻りに回転又は揺動可能な可動電飾体（３７）を備え、該可動電飾体（３７）の前面に前記発光表示部（３５）を備えたことを特徴とする請求項１に記載の遊技機。
【請求項３】
前記画像表示部（２１）は前記発光表示部（３５）が該画像表示部（２１）に対応するときに前記演出画像（３３）を発光表示することを特徴とする請求項１又は２に記載の遊技機。
【請求項４】
前記発光表示部（３５）は略直線状であり、前記画像表示部（２１）は前記発光表示部（３５）が該画像表示部（２１）に対応するときに、前記可動電飾手段（１８）の動作に同期してその動作方向に移動する略直線状の前記演出画像（３３）を前記発光表示部（３５）の延長線上に発光表示することを特徴とする請求項３に記載の遊技機。
【請求項５】
前記可動電飾手段（１８）は複数個あり、前記画像表示部（２１）は該複数個の可動電飾手段（１８）のうちその全部又は一部の複数個の前記可動電飾手段（１８）の前記発光表示部（３５）の発光表示に同期して、該複数個の前記発光表示部（３５）に対応する複数個の前記演出画像（３３）を交差状に表示することを特徴とする請求項１〜４の何れかに記載の遊技機。
【請求項６】
前記可動電飾手段（１８）は複数個あり、前記画像表示部（２１）は該複数個の可動電飾手段（１８）のうち相対応する２個の前記可動電飾手段（１８）の前記発光表示部（３５）の発光表示に同期して、該２個の前記発光表示部（３５）に対応する共通の前記演出画像（３３）を表示することを特徴とする請求項１〜４の何れかに記載の遊技機。
【発明の詳細な説明】
【技術分野】
【０００１】
本発明は、パチンコ機その他の弾球遊技機、スロットマシン等の遊技機に関し、画像表示部を有する画像表示手段と、画像表示部の近傍に配置された可動電飾手段とを融合させてインパクトのある演出を行うようにしたものである。
【背景技術】
【０００２】
パチンコ機には、遊技盤の遊技領域に、複数個の演出図柄を可変表示する画像表示部を有する画像表示手段を配置すると共に、この画像表示手段の外周側近傍の上下、左右の両側に、画像表示部の略中央を通る対角線方向に直線状に配置された複数個の発光素子からなる電飾手段を配置して、大当たり遊技等の予告演出をする際に、各電飾手段の発光素子を発光させて略直線状に発光表示すると同時に、対角線方向の各電飾手段間を直線状に繋ぐ演出画像を画像表示部に発光表示して、その電飾手段及び演出画像が画像表示手段の支持枠を超えて直線状に発光するようにしたものがある（特許文献１）。
【特許文献１】特許第３９９８５９４号公報
【発明の開示】
【発明が解決しようとする課題】
【０００３】
この種のパチンコ機は、画像表示手段の支持枠を超えて直線状の発光表示を構成するため、遊技盤の遊技領域を最大限に活用して演出できる利点がある。しかし、従来は画像表示手段の外周側近傍の各電飾手段に、複数個の発光素子が略直線状に配置された固定式のものを採用しているため、画像表示手段の枠を超えて直線状に発光表示するとは云え、二方向の直線状の発光表示が１箇所で対角線方向にＸ状に交差する演出しかできず、大当たり態様等の予告演出が画一的であり、多様性のある演出はできない。
【０００４】
一方、画像表示部を挟んで各対角線方向の両側に角度を変えて複数個の電飾手段を配置すれば、従来の固定式の電飾手段を利用しながら、直線状の発光表示が異なる箇所で交差するような演出形態を採用することも可能である。しかし、画像表示手段の外周側の遊技領域が非常に狭い上に、画像表示部を外周から支持する支持枠には多数の部品類が装着されているため、その部品類との取り合い関係もあって、各対角線方向の両側の任意の位置に複数個の電飾手段を配置することは非常に困難である。
【０００５】
本発明は、このような従来の問題点に鑑み、画像表示部を有する画像表示手段と可動電飾手段とを融合させて、比較的簡単な構造で多様性に富んだインパクトのある演出を行うことができる遊技機を提供することを目的とする。
【課題を解決するための手段】
【０００６】
本発明は、演出図柄３２ａ〜３２ｃを可変表示する画像表示部２１を有する画像表示手段１３と、前記画像表示部２１の近傍に配置され且つ所要方向に演出動作可能な可動電飾手段１８とを備え、前記可動電飾手段１８はその前面に帯状又は筋状の発光表示部３５を有し、所定の遊技状態のときに前記可動電飾手段１８の演出動作に同期して前記発光表示部３５を発光表示させ且つ前記画像表示部に２１に演出画像３３を発光表示させる演出制御手段７５，７６を備えたものである。
【発明の効果】
【０００７】
本発明によれば、画像表示部２１を有する画像表示手段１３と可動電飾手段１８とを融合させて、比較的簡単な構造で多様性に富んだインパクトのある演出を行うことができる利点がある。
【発明を実施するための最良の形態】
【０００８】
以下、本発明の実施形態を図面に基づいて詳述する。図１〜図１２は本発明をパチンコ機に採用した第１の実施例を例示している。図１において、遊技機本体１は、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【０００９】
前面板６の前側には発射用の遊技球を貯留する球供給皿８が配置され、その側方に遊技球を発射する発射手段（図示省略）の発射ハンドル９が設けられている。ガラス扉５の裏側には、このガラス扉５に対応するように前枠４に遊技盤１０（図２参照）が着脱自在に装着されている。
【００１０】
遊技盤１０の前面には、図２に示すように、発射手段から発射された遊技球を案内するガイドレール１１が略円弧状に配置されると共に、そのガイドレール１１の内側の遊技領域１２に画像表示手段１３、普通図柄始動手段１４、特別図柄始動手段１５、大入賞手段１６、普通入賞手段１７、可動電飾手段１８等の各種の遊技部品が配置されている。なお、遊技領域１２はガラス扉５の窓孔１９に対応している。
【００１１】
画像表示手段１３は図２、図３に示すように、例えば遊技領域１２の略中央に配置されており、遊技盤１０の裏面に装着された支持枠２０と、この支持枠２０の略中央に配置された液晶式等の略矩形状の画像表示部２１と、遊技盤１０の前面に装着され画像表示部２１の外周を前側から覆う前飾り体２２とを備えている。
【００１２】
支持枠２０は図３に示すように、遊技盤１０の裏面に当接する周壁部２３と、この周壁部２３の後端側に接続された背壁部２４とを備えた凹入状であって、その背壁部２４に画像表示部２１が装着されている。支持枠２０の前面には、画像表示部２１に対応する表示窓２５を形成する窓飾り板２６が装着されている。
【００１３】
前飾り体２２は遊技盤１０の前面に当接する前飾り板２７と、この前飾り板２７から前側に突出し且つ画像表示部２１側への遊技球の侵入を阻止する略門形状の突出飾り枠２８とを備えている。なお、支持枠２０、前飾り体２２は一体に接合して、遊技盤１０に対して前側から着脱自在に装着してもよい。
【００１４】
前飾り体２２には図２に示すようにその前面に普通図柄表示手段２９、特別図柄表示手段３０が設けられると共に、画像表示部２１の近傍に可動電飾手段１８が設けられている。なお、普通図柄表示手段２９、特別図柄表示手段３０はその一方又は双方を遊技盤１０に装着された他の遊技部品に設けてもよい。
【００１５】
普通図柄表示手段２９は普通図柄を変動表示するためのもので、複数種類の普通図柄（例えば２種類の「○」「×」）に対応する複数個の発光素子により構成されており、普通図柄始動手段１４が遊技球を検出することを条件に２個の発光素子が交互に点灯するように所定時間点滅して、普通図柄始動手段１４の遊技球の検出時に抽選した乱数値が予め定められた当たり判定値と一致した場合に当たり態様の「○」側の発光素子が点灯し、それ以外の場合に外れ態様の「×」側の発光素子が点灯して停止するようになっている。
【００１６】
特別図柄表示手段３０は、発光部位の変化等で特別図柄を変動表示可能なセグメント式等の表示手段により構成されており、特別図柄始動手段１５が遊技球を検出することを条件に特別図柄を所定時間変動表示して、特別図柄始動手段１５の遊技球の検出時に抽選された乱数値が予め定められた大当たり乱数値と一致した場合に所定の大当たり態様で、それ以外の場合に外れ態様で停止するようになっている。
【００１７】
画像表示部２１は図２に示すように、遊技中は演出図柄３２ａ〜３２ｃとその背景画像とが表示され、また所定の遊技状態、例えば大当たり遊技を予告すべき遊技状態となった場合に、可動電飾手段１８側の回転、発光等の演出と同期して予告演出画像３３が表示される。
【００１８】
なお、この実施例では、画像表示部２１と可動電飾手段１８とにより大当たり遊技の予告演出を行う場合を例示しているが、大当たり遊技の予告演出の他、大当たり遊技中の演出等、遊技中に発生する所定の遊技状態を演出するするようにしてもよい。
【００１９】
演出図柄３２ａ〜３２ｃは画像表示部２１の適当な位置に複数個、例えば３個表示され、その各演出図柄３２ａ〜３２ｃは特別図柄表示手段３０の特別図柄の変動に同期して変動を開始し、所定の変動パターンを経て所定時間変動した後、特別図柄の変動終了に同期して所定の順序で順次停止する。演出図柄３２ａ〜３２ｃの変動後の停止図柄は、特別図柄表示手段３０の特別図柄が大当たり態様で停止する場合には全てが揃う大当たり演出態様となり、特別図柄が外れ態様で停止する場合には少なくとも一部が異なる外れ演出態様となる。
【００２０】
演出図柄３２ａ〜３２ｃには例えば０〜９までの数字図柄が使用されており、特別図柄が大当たり態様で停止する場合には演出図柄３２ａ〜３２ｃは「７・７・７」等の大当たり演出態様で停止し、特別図柄が外れ態様で停止する場合には演出図柄３２ａ〜３２ｃは「２・４・５」等の外れ演出態様で停止する。
【００２１】
特別図柄始動手段１５は固定式入賞口１５ａと電動チューリップ等の可変式入賞口１５ｂとを上下に備えている。可変式入賞口１５ｂは普通図柄表示手段２９の変動後の普通図柄が当たり態様を停止表示したときに所定時間開放するようになっている。
【００２２】
可動電飾手段１８は画像表示手段１３の画像表示部２１の近傍に配置されている。例えば、この実施例では画像表示部２１に対してガイドレール１１とは反対側の側縁の上下方向の略中央に、その一部が画像表示部２１の前側に突出するように可動電飾手段１８が配置されている。
【００２３】
可動電飾手段１８は前後方向に軸心廻りに往復回転する往復回転式であって、図３〜図５に示すように、支持部材を構成する支持ケース３４と、その略中心部を通る略直線状の発光表示部３５とを有し且つ支持ケース３４の前面で回転軸３６を介して前後方向の軸心廻りに回転自在に支持された可動電飾体３７と、支持ケース３４の裏側に固定され且つ可動電飾体３７を回転軸３６廻りに駆動するモータ等の駆動手段４１と、可動電飾体３７の裏側で支持ケース３４側に設けられた発光素子３８と、可動電飾体３７の裏側で支持ケース３４側に設けられ且つ発光素子３８からの光を発光表示部３５に導光する導光体３９とを備えている。
【００２４】
なお、可動電飾手段１８はその前面が前飾り体２２の前面よりも後方に配置されている。また前飾り体２２には内周縁が可動電飾体３７の外周に近接する切り欠き部４０が形成されている。
【００２５】
支持ケース３４は取り付けボス４２等を介して前飾り体２２、取り分けその前飾り板２７の裏側に着脱自在に固定されている。この支持ケース３４の内部に駆動手段４１の出力軸４４に固定された駆動ギヤー４５と、回転軸３６に固定され且つ駆動ギヤー４５と噛合する従動ギヤー４６とが設けられている。
【００２６】
駆動手段４１は予告演出時に発光表示部３５の延長線が画像表示部２１の表示領域から外れない所定範囲α（図２参照）内で可動電飾体３７を回転軸３６廻りに往復回転させるように正逆転制御され、駆動ギヤー４５、従動ギヤー４６等を介して、図２に示すように発光表示部３５が画像表示部２１に対応する所定範囲α内で可動電飾体３７を往復回転させるようになっている。回転軸３６は支持ケース３４の前後壁により回転自在に保持され、その前端がコ字状の取り付け部４８を介して可動電飾体３７の裏側の中心部に固定されている。
【００２７】
可動電飾体３７は円筒部３７ａの前端側が前面部３７ｂにより塞がれた有底円筒状であって、その前面部３７ｂに光透過性を有する発光表示部３５が略中心部を通る直径方向に設けられている。なお、可動電飾体３７は発光表示部３５以外の部分がメッキ、シールその他の遮光手段により遮光されている。また発光表示部３５の裏面は、内部の導光体３９等が前面から見えないように凹凸状になっている。
【００２８】
可動電飾体３７の円筒部３７ａには、画像表示部２１と反対側に略同心状に膨らむ膨らみ部３７ｃが設けられ、その膨らみ部３７ｃ内に全部又は一部が収まるように発光基板４９に装着された発光素子３８が配置されている。発光素子３８は可動電飾体３７の往復回転する範囲αに対応して周方向に複数個設けられており、発光表示部３５の画像表示部２１と反対側の端部よりも径方向の外側に配置されている。発光基板４９は支持ケース３４に固定されている。
【００２９】
導光体３９は発光表示部３５に対応して可動電飾体３７内の裏側に配置されている。この導光体３９は発光表示部３５へと光を裏側から照射する照射部５０と、この照射部５０の一端側で発光素子３８と前後に対向して円弧状に形成され且つ発光素子３８からの光を受光する受光部５１と、この受光部５１と照射部５０との隅部に受光部５１に沿って円弧状に形成され且つ受光部５１からの光を照射部５０へと反射する反射面５２とを備え、取り付けボス５５等を介して支持ケース３４に固定されている。なお、導光体３９は発光基板４９と共に支持ケース３４に取り付けてもよい。
【００３０】
照射部５０は取り付け部４８内で発光表示部３５の裏側に略平行に配置されており、可動電飾体３７の中心側の括れ部５３から両側へと扇形状に形成され、その括れ部５３が取り付け部４８内に挿通されている。照射部５０の裏面には受光部５１側から反対側へと板厚が薄くなるように傾斜する乱反射面５４が設けられ、反射面５２からの光を乱反射面５４で乱反射して受光部５１へと裏側から照射するようになっている。反射面５２はその全部又は一部が発光表示部３５の画像表示部２１と反対側の端部よりも径方向の外側に配置されている。
【００３１】
画像表示部２１には可動電飾手段１８の発光表示部３５の回転発光に同期してその延長線上に略直線状の予告演出画像３３が発光表示され、また予告演出画像３３は発光表示部３５の往復回転に同期して同一方向に移動する。
【００３２】
なお、可動電飾体３７が回転しながら発光表示部３５が間欠的に発光表示する場合には、その回転又は間欠発光に同期して予告演出画像３３を間欠的に表示してもよいし、発光表示部３５の発光表示箇所が外側から内側へと移動するように移動発光する場合には、その移動発光に連続して発光箇所が延長線上を移動するように予告演出画像３３を移動表示してもよい。
【００３３】
図６はパチンコ機の制御系を示す。パチンコ機の制御系は主制御基板６０と演出制御基板６１とを備えている。主制御基板６０はパチンコ機全体の遊技動作の制御を司るもので、普通図柄始動手段１４が遊技球を検出したときに乱数値を抽選して当たりか否かを判定し、当たりの場合に普通図柄表示手段２９の変動後の普通図柄が当たり態様で停止した後に特別図柄始動手段１５の可変式入賞口１５ｂを所定時間開放させる普通図柄系制御手段６２の他に、乱数抽選手段６３、判定手段６４、特別図柄制御手段６５、停止態様決定手段６６、変動パターン決定手段６７、コマンド送信手段６８、特別遊技発生手段６９を備えている。
【００３４】
乱数抽選手段６３は特別図柄始動手段１５が遊技球を検出したときに乱数値を抽選し、判定手段６４は乱数抽選手段６３で抽選された乱数値を大当たり乱数値と照合して大当たりか否かを判定するようになっている。特別図柄制御手段６５は特別図柄始動手段１５の遊技球の検出を契機に特別図柄表示手段３０の特別図柄を所定時間変動させて、判定手段６４の判定結果が大当たりのときに大当たり態様で、外れのときに外れ態様で夫々停止すべく特別図柄を制御するようになっている。
【００３５】
停止態様決定手段６６は判定手段６４の判定結果が大当たりのときに演出図柄３２ａ〜３２ｃの停止態様を抽選し決定するためのものである。変動パターン決定手段６７は判定手段６４の判定結果が大当たりのときの大当たり変動パターンを、外れのときの外れ変動パターンを抽選し決定するためのもので、判定手段６４の判定結果に応じて予め定められた複数種類の大当たり変動パターン、外れ変動パターンの中から、そのときの演出図柄３２ａ〜３２ｃの変動に供する１つの変動パターンを選択し決定するようになっている。
【００３６】
大当たり変動パターン、外れ変動パターンには変動時間の長短、演出図柄３２ａ〜３２ｃの変動中のリーチの有無等に応じて夫々複数の種類のものがある。例えば、大当たり変動パターンには変動時間の違いによって大当たり変動パターン１、大当たり変動パターン２、大当たり変動パターン３、・・・等のように多種類のパターンが準備されており、また外れ変動パターンには変動時間の違い、リーチの有無によってリーチあり外れ変動パターン１、リーチあり外れ変動パターン２、リーチなし外れ変動パターン１、リーチなし外れ変動パターン２、・・・等のように多種類のパターンが準備されている。
【００３７】
なお、一般的にリーチあり外れ変動パターンはリーチなし外れ変動パターンに比較して変動時間が長く、またリーチあり外れ変動パターンの一部である１種類又は複数種類は、大当たり変動パターンの変動時間に近い変動時間を有するものがある。また変動時間の長い変動パターンの場合には、変動時間の短いリーチあり変動パターン、リーチなし変動パターンに比較して出現率は低いが、変動後に特別図柄が大当たり態様となる信頼度が大になっている。
【００３８】
特別図柄制御手段６５は特別図柄始動手段１５の遊技球の検出を契機に特別図柄表示手段３０の特別図柄を変動させて、変動パターン決定手段６７で決定された変動パターンの変動時間に従って変動した後に、判定手段６４の大当たり、外れの判定結果に応じて特別図柄を大当たり態様、外れ態様の何れかで停止させるようになっている。コマンド送信手段６８は停止態様決定手段６６で決定された停止態様コマンド、変動パターン決定手段６７で決定された変動パターンコマンド、各変動パターン毎の変動停止コマンドを演出制御基板６１側へと一方向通信により送信するようになっている。
【００３９】
特別遊技発生手段６９は判定手段６４が大当たりと判定した場合に、特別図柄が大当たり態様で停止した後に遊技者に有利な特別遊技（大当たり遊技）を発生させるためのもので、例えば大入賞手段１６を所定時間ずつ複数回開放させるようになっている。なお、特別遊技での大入賞手段１６の開閉パターン等は適宜決定することが可能である。また特別遊技では大入賞手段１６の開放に加えて、又は大入賞手段１６の開放とは別に、特別図柄の大当たり態様の種類を条件に大当たりの抽選確率を変える確率変動、その他の遊技者に有利な要素を付加してもよい。
【００４０】
演出制御基板６１には主制御基板６０から送信される各コマンドを解析して画像表示手段１３の画像表示部２１に表示される演出図柄３２ａ〜３２ｃ、背景画像、予告演出画像３３を制御し、また可動電飾体３７の動作、発光表示部３５の発光表示を制御するためのもので、コマンド受信手段７１、演出図柄制御手段７２、予告演出決定手段７３、演出画像制御手段７４、可動演出制御手段７５、発光演出制御手段７６等を備えている。
【００４１】
コマンド受信手段７１はコマンド送信手段６８から演出制御基板６１側に送信される各コマンドを受信して解析するためのものである。演出図柄制御手段７２は主制御基板６０からの変動パターンコマンドに従って特別図柄表示手段３０の特別図柄の変動に同期して演出図柄３２ａ〜３２ｃを所定の変動パターンで所定時間変動させて、停止コマンドがあったときに演出図柄３２ａ〜３２ｃを大当たり演出態様又は外れ演出態様で停止させるようになっている。なお、３個の演出図柄３２ａ〜３２ｃは、特別図柄が大当たり態様で停止する場合には全てが揃うように停止態様コマンドで指定された停止態様で停止し、それ以外の場合にはリーチの有無に応じて演出図柄制御手段７２側で選択された停止態様で停止する。
【００４２】
予告演出決定手段７３は大当たり変動パターンの一部又は全てと、大当たり変動パターンの変動時間に近い変動時間を有するリーチあり外れ変動パターンの一部である１種類若しくは複数種類又は全ての変動パターンコマンドがあったときに、その変動パターンコマンドを条件に乱数値を抽選して予告演出を行うか否かを決定するようになっている。なお、大当たり変動パターンの場合は外れ変動パターンよりも予告演出の抽選率が高くなるようにしてもよい。その場合、各変動パターン毎に抽選率を変えてもよい。
【００４３】
演出画像制御手段７４は変動パターンコマンドに従って複数種類の背景画像の何れかを選択して、演出図柄３２ａ〜３２ｃの背景画像を制御し、また予告演出決定手段７３が予告演出を決定した場合には演出図柄３２ａ〜３２ｃがリーチになった後に、可動電飾手段１８の発光表示部３５の回転発光に同期して、発光表示部３５の延長線上に予告演出画像３３が発光表示するように制御する。なお、この予告演出画像３３は閃光的に表示してもよいし、点滅表示してもよい。
【００４４】
可動演出制御手段７５は可動電飾体３７の往復回転による演出を制御するためのもので、予告演出決定手段７３が予告演出を決定して演出図柄３２ａ〜３２ｃがリーチになった場合に、可動電飾体３７が回転軸３６廻りに往復回転するように駆動手段４１を正逆転制御すべく構成されている。
【００４５】
発光演出制御手段７６は可動電飾体３７の発光表示部３５の発光表示による演出を制御するもので、予告演出決定手段７３が予告演出を決定して演出図柄３２ａ〜３２ｃがリーチになった場合に、可動電飾体３７の回転に同期して発光表示部３５が発光表示するように発光素子３８を点灯又は点滅制御すべく構成されている。
【００４６】
このパチンコ機では、遊技中に次のような制御並びに演出を行う。即ち、特別図柄始動手段１５が遊技球を検出すると、乱数抽選手段６３が乱数値を抽選し、その乱数値が大当たり乱数値と同じであるか否かにより判定手段６４が大当たりか否かの判定を行う。そして、判定結果が大当たりであれば、停止態様決定手段６６が演出図柄３２ａ〜３２ｃの停止態様を決定する。また判定結果が大当たりであれば、変動パターン決定手段６７が複数種類の大当たり変動パターンの何れかを選択し、外れであれば変動パターン決定手段６７が複数種類の外れ変動パターンの何れかを選択する。
【００４７】
続いて特別図柄表示手段３０の特別図柄が変動を開始し、変動パターン決定手段６７で選択された変動パターンにより指定された変動時間だけ変動した後に、判定手段６４での大当たり、外れの判定結果に応じて大当たり態様、外れ態様の何れかで停止する。そして、判定手段６４が大当たりと判定した場合には、特別図柄が大当たり態様で停止した後に、特別遊技発生手段６９による特別遊技が発生して大入賞手段１６が複数回開放する等、遊技者は有利な状態で遊技を継続できる。
【００４８】
一方、停止態様決定手段６６が演出図柄３２ａ〜３２ｃの停止態様を決定し、変動パターン決定手段６７が演出図柄３２ａ〜３２ｃの変動パターンを決定すると、コマンド送信手段６８が演出制御基板６１側へと夫々のコマンドを送信する。演出制御基板６１側では、変動パターンコマンドを受信すると、演出図柄制御手段７２の制御により特別図柄の変動開始に同期して演出図柄３２ａ〜３２ｃが変動を開始し（図７（Ａ）参照）、その変動パターンに従って所定時間変動する。そして、各演出図柄３２ａ〜３２ｃは図７（Ｂ）（Ｃ）に示すように左、右、中等の順序で停止状態に近い揺れ変動に移行し、停止コマンドに従って大当たり演出態様、外れ演出態様の何れかで最終的に停止する。また遊技中は演出画像制御手段７４の制御により、演出図柄３２ａ〜３２ｃの背景画像が表示される。
【００４９】
例えば、判定手段６４の大当たり判定により変動パターン決定手段６７が大当たり変動パターンの何れかを選択した場合、又は大当たり変動パターンの変動時間に近い特定のリーチあり外れ変動パターンの何れかを選択した場合には、予告演出決定手段７３が予告演出を行うか否かを決定する。そして、予告演出決定手段７３が予告演出を決定すれば、演出図柄３２ａ〜３２ｃがリーチになった後、可動電飾手段１８の可動電飾体３７の回転発光と画像表示部２１の予告演出画像３３との組み合わせにより予告演出を行う。
【００５０】
即ち、可動電飾体３７は通常、図８（Ａ）に示すように発光表示部３５が画像表示部２１の側縁と略直角となる略水平状態で停止している。３個の演出図柄３２ａ〜３２ｃが所定の変動パターンで変動する間に、２個の演出図柄３２ａ，３２ｃが揃うリーチになれば、可動演出制御手段７５の制御により駆動手段４１が起動して正逆転する。そして、駆動手段４１が正逆転すると、出力軸４４、駆動ギヤー４５、従動ギヤー４６を介して可動電飾体３７が図９（Ａ）に示すように回転軸３６廻りに往復回転する。
【００５１】
一方、可動電飾体３７の回転に同期して、図９（Ｂ）に示すように発光演出制御手段７６の制御により発光素子３８が点灯する。そして、発光素子３８が点灯すると、その光が導光体３９の受光部５１から反射面５２を経て照射部５０へと導光され、その照射部５０の裏面の乱反射面５４で乱反射されて発光表示部３５へと照射される。このため発光表示部３５は照射部５０からの光により図８（Ｂ）（Ｃ）に示すように往復回転しながら略直線状に発光表示する。
【００５２】
更に可動電飾体３７の発光表示部３５の回転発光に同期して、図９（Ｃ）に示すように演出画像制御手段７４の制御により、画像表示部２１には発光表示部３５の延長線上で略直線状の予告演出画像３３が背景演出画像上に重ねて発光表示され、その予告演出画像３３が発光表示部３５の回転に従って図８（Ｂ）（Ｃ）に示すように往復移動する。その後、発光表示部３５が略水平になれば、可動電飾体３７の回転、発光表示部３５の発光表示、予告演出画像３３による演出が終了する。図８では発光表示状態を斜線で示す。なお、可動電飾体３７の回転は１往復未満でもよいし、１往復以上でもよい。
【００５３】
このような予告演出に際して、図９に示すように可動電飾体３７の往復回転中、常に発光表示部３５が発光表示し、画像表示部２１が予告演出画像３３を表示するようにしてもよいし、図１０〜図１２に示すように発光表示部３５が間欠的に発光表示し、それの何れかの発光表示に同期して画像表示部２１が予告演出画像３３を表示するようにしてもよい。
【００５４】
図１０の予告演出の場合には、可動電飾体３７の往復回転に同期して発光表示部３５が所定の周期で間欠的に点滅発光する（図１０（Ａ）〜（Ｃ）参照）。予告演出画像３３はこの発光表示部３５の点滅発光に同期して発光表示されるが、それには図１０（Ｄ）〜（Ｇ）に示すように複数種類の表示パターン１〜４があり、各表示パターンによって予告演出画像３３の表示タイミングが異なっている。
【００５５】
可動電飾体３７の回転、発光表示部３５及び予告演出画像３３の発光表示による大当たり遊技の予告演出においても、このようにして予告演出画像３３が画像表示部２１の中央近傍で発光表示される等、特定の方向で発光表示部３５、予告演出画像３３が略一直線状に発光表示されたときに、特別図柄の変動後に大当たり遊技が発生する確率が大になるようにしてもよい。また予告演出画像３３の発光表示回数の多少によって、例えばその数が多いか又は複数回のときに確率が大になるようにしてもよい。
【００５６】
図１１の予告演出の場合には、可動電飾体３７の往復回転に同期して発光表示部３５が所定の周期で間欠的に点滅発光するが、発光表示部３５の発光時間に長短を持たせて発光周期を変えている（図１１（Ａ）（Ｂ）参照）。
【００５７】
この場合にも、発光表示部３５の発光周期に同期して発光表示される予告演出画像３３には、図１１（Ｃ）〜（Ｅ）に示すように複数種類の表示パターン１〜３がある。例えば、表示パターン１は発光表示部３５の短い発光周期に同期し、表示パターン２は発光表示部３５の長い発光周期に同期し、即ち表示パターン３は発光表示部３５の一部の短い発光周期と一部の長い発光周期と同期している。
【００５８】
このように発光表示部３５の点滅発光の周期を変化させて、その発光の何れかに同期して予告演出画像３３を発光表示するようにしてもよい。
【００５９】
図１２の予告演出の場合には、可動電飾手段１８による演出動作の開始から演出動作の終了までの一連の演出動作中に可動電飾体３７が停止する停止時間を設けて、この可動電飾体３７の停止中に発光表示部３５が発光表示し、この発光表示に同期して画像表示部２１が予告演出画像３３を発光表示するようにしている。即ち、可動電飾体３７は１回往復回転する間に上向き状態、下向き状態で夫々所定時間停止し（図１２（Ａ）（Ｂ）参照）、その停止中に発光表示部３５が発光する（図１２（Ｃ）参照）。
【００６０】
予告演出画像３３の発光表示には、図１２（Ｄ）（Ｅ）に示すように複数種類の表示パターン１，２があり、その表示パターン１は可動電飾体３７が上向き状態での停止中に、表示パターン２は可動電飾体３７が下向き状態での停止中に夫々発光表示部３５の発光表示に同期して予告演出画像３３を発光表示するようになっている。
【００６１】
このように可動電飾体３７の発光表示部３５が回転発光し、その回転発光に同期して画像表示部２１に予告演出画像３３を発光表示したり、可動電飾体３７の回転動作の途中での停止時に発光表示部３５が発光し、その発光に同期して画像表示部２１に予告演出画像３３を発光表示したりすることにより、画像表示部２１を有する画像表示手段１３と、この画像表示部２１の近傍に配置された可動電飾手段１８とを融合させて、多様性に富んだインパクトのある演出を行うことができる。
【００６２】
即ち、可動電飾体３７の略直線状に発光表示する発光表示部３５が、その延長線が画像表示部２１の表示領域の範囲α内で回転軸３６廻りに往復回転し、発光表示部３５に同期して往復移動する予告演出画像３３を発光表示部３５の延長線上で画像表示部２１に発光表示することにより、従来の固定式の電飾手段を採用する場合に比較して、画像表示手段１３と可動電飾手段１８とが緊密に融合し、遊技者に対して非常に強いインパクトを与える演出が可能であり、その演出効果が著しく向上する。
【００６３】
しかも予告演出は変動パターン決定手段６７が大当たり変動パターンの何れかを選択した場合、又は大当たり変動パターンの変動時間に近い特定のリーチあり外れ変動パターンの何れかを選択した場合に、予告演出決定手段７３が予告演出を行うか否かを決定して行うため、このような予告演出があれば、遊技者に対して大当たりに対する期待感を抱かせることができる。
【００６４】
また発光素子３８と、この発光素子３８からの光を発光表示部３５へと導光する導光体３９は固定側にあるが、可動電飾体３７と回転軸３６とを結合する取り付け部４８内にその導光体３９を挿通しているため、回転軸３６に影響されることなく可動電飾体３７の径方向に設けられた発光表示部３５の略全体を発光表示させることができる。
【００６５】
更に可動電飾体３７に膨らみ部３７ｃがあり、この膨らみ部３７ｃ側に発光基板４９の発光素子３８、導光体３９の受光部５１、反射面５２を設けているため、可動電飾体３７の径方向の寸法を短くしながらも発光表示部３５を長くすることができる。
【００６６】
図１３は本発明の第２の実施例を例示する。この実施例では、可動電飾手段１８はその支持ケース３４が画像表示部２１の前面に近接して配置され、画像表示部２１を支持する支持枠２０の取り付け部４８ａを介して固定されている。他の構成は第１の実施例と同様である。
【００６７】
このように可動電飾手段１８を画像表示部２１に近接して配置すれば、可動電飾体３７の発光表示部３５と画像表示部２１の表示面との間の前後方向の間隔が小さくなるため、発光表示部３５の発光表示と画像表示部２１の予告演出画像３３との一体性が更に向上する利点がある。
【００６８】
図１４、図１５は本発明の第３の実施例を例示する。この実施例では、可動電飾体３７の前面には、略直線状の発光表示部３５が回転軸３６を避けて略平行に２本設けられ、また可動電飾体３７内には円板状の発光基板４９が配置されている。
【００６９】
発光基板４９の前面には複数個の発光素子３８が略均一に装着され、この発光素子３８からの光により可動電飾体３７の発光表示部３５を発光表示させるようになっている。発光表示部３５の裏面側は、光を乱反射する粗面状になっている。発光基板４９は支持ケース３４に固定されると共に、中心部に通孔７９を有し、その通孔７９に回転軸３６が挿通されている。他の構成は第１の実施例と同様である。
【００７０】
このようにすれば、可動電飾体３７の発光表示部３５は複数本にしてもよい。勿論、発光表示部３５を１個として、可動電飾体３７の前面に偏心して配置してもよい。また発光表示部３５を回転軸３６を避けて設けることにより、発光素子３８からの光を導光体３９等を介さずに直接発光表示部３５に照射することもできる。しかも可動電飾体３７を回転軸３６廻りに回転させることが可能である。従って、発光表示部３５を回転発光させながら、その発光表示部３５の延長線が画像表示部２１の表示領域に対応するときにのみ、画像表示部２１に予告演出画像３３を表示する等の演出も可能である。
【００７１】
図１６、図１７は本発明の第４の実施例を例示する。この実施例の可動電飾手段１８は、可動電飾体３７が揺動軸８０廻りに往復揺動する揺動式となっている。可動電飾体３７はその前面部３７ｂが画像表示部２１側へと広がる扇形状であって、画像表示部２１と反対側の揺動軸８０を介して支持板８１に上下方向に揺動自在に枢支され、支持板８１の裏側に固定されたモータ等の駆動手段４１により出力軸４４、駆動ギヤー４５、従動ギヤー４６、揺動軸８０を介して駆動される。なお、可動電飾体３７は前面部３７ｂの画像表示部２１側の端部に、後側へと屈曲する側壁３７ｃが揺動軸８０を中心として円弧状に設けられている。
【００７２】
支持板８１は窓飾り板２６等を介して支持枠２０に取り付けられている。可動電飾体３７には略直線状の発光表示部３５が設けられ、裏側で発光基板４９に装着された発光素子３８からの光により発光表示するようになっている。発光基板４９は支持板８１に固定されている。前飾り体２２には、可動電飾体３７の発光表示部３５の揺動範囲に対応する切り欠き部４０が形成されている。他の構成は第１の実施例と同様である。
【００７３】
このように可動電飾体３７を扇形状その他の板状に構成し、これを揺動軸８０を介して画像表示部２１の前側で往復揺動自在に設けてもよい。この場合には、可動電飾手段１８全体を薄く構成できるので、可動電飾体３７の発光表示部３５と画像表示部２１の表示面との前後方向の間隔を小さくすることも可能である。
【００７４】
図１８は本発明の第５の実施例を例示する。この実施例の可動電飾手段１８は、矩形状の画像表示部２１の四隅の内、その上側の一隅に配置されている。可動電飾体３７の発光表示部３５は画像表示部２１に向かって斜め方向に傾斜した状態で停止し、この位置から両側へと所定の範囲α内で往復回転するようになっている。また画像表示部２１には、発光表示部３５の発光表示による予告演出時に、発光表示部３５の往復回転範囲に対応する延長線上に予告演出画像３３が表示される。なお、可動電飾手段１８の具体的構造を含む他の構成は第１〜第３の何れかの実施例と同様である。また可動電飾手段１８は第４の実施例と同様でもよい。
【００７５】
このように可動電飾手段１８を画像表示部２１の隅に設けて、この可動電飾手段１８を基準に画像表示部２１に予告演出画像３３を表示するようにしてもよい。
【００７６】
図１９、図２０は本発明の第６の実施例を例示する。この実施例では、画像表示部２１の四辺の略中央に可動電飾手段１８が配置されている。ガイドレール１１と画像表示手段１３の前飾り体２２との間は、遊技領域１２に打ち込まれた遊技球の落下通路８４となっている。このため画像表示部２１の左辺側では、前飾り板２７、突出飾り枠２８の一部分を光透過部２７ａ，２８ａとし、その光透過部２７ａ，２８ａの裏側に可動電飾手段１８が設けられている。各可動電飾体３７は第３の実施例と同様に全回転可能であり、その前面に発光表示部３５が設けられている。光透過部２７ａ，２８ａの周辺はメッキ等の遮光層２７ｂが設けられている。
【００７７】
なお、発光表示部３５、予告演出画像３３を発光表示させる際の表示パターンは、可動電飾体３７の位置によって異なるように複数種類ある。他の構成は第１の実施例と同様である。
【００７８】
この場合には、各可動電飾手段１８は発光表示部３５が略水平状態で停止しており、予告演出に際しては、各可動電飾体３７が同時又は所定の時間差で所定方向に回転し、その回転に同期して各発光表示部３５が同時又は所定の時間差で発光表示又は点滅発光表示する。また発光表示部３５の延長線が画像表示部２１の表示領域に対応する側では、その発光表示部３５の延長線上で画像表示部２１に予告演出画像３３を発光表示する。勿論、予告演出画像３３は発光表示部３５の回転発光に同期して移動する。
【００７９】
このようにすれば、左右の可動電飾手段１８の可動電飾体３７の回転に伴って、画像表示部２１上の予告演出画像３３がＸ位置からＹ位置へと移動する等、画像表示部２１の四辺に配置された各可動電飾手段１８の発光表示部３５の回転発光と、その発光表示部３５の延長線上で画像表示部２１に表示される４本の予告演出画像３３との組み合わせにより、更に融合性の高いインパクトのある予告演出を行うことができる。
【００８０】
特に可動電飾体３７の回転位置に応じて発光表示部３５、予告演出画像３３の発光表示位置が異なる複数種類の表示パターンを設けることが可能であり、これによって画像表示部２１上での予告演出画像３３同士の交差位置、表示方向が様々に異なる多種類の予告演出を行うことができる。
【００８１】
なお、可動電飾手段１８は停止時の発光表示部３５を画像表示部２１の各辺に略直角に配置し、所定の範囲α内で可動電飾体３７が往復回転又は往復揺動するようにしてもよい。
【００８２】
図２１、図２２は本発明の第７の実施例を例示する。図２１の場合には、画像表示部２１の上下、左右に配置された４個の可動電飾手段１８のうち、画像表示部２１を挟んで左右方向に相対応する２個の可動電飾手段１８は、各可動電飾体３７の回転動作の途中において、その発光表示部３５が左右方向の一直線上に位置するようになっている。そして、各発光表示部３５が左右方向の一直線上に位置したときに、それに同期して各発光表示部３５が発光表示すると共に、画像表示部２１に両発光表示部３５に共通の予告演出画像３３が直線状に表示されるようになっている。この場合、少なくとも可動電飾体３７の停止に同期して発光表示部３５が発光表示し、その発光表示と同時に又は発光表示と相前後して画像表示部２１が予告演出画像３３を発光表示することが望ましい。なお、左右２個の可動電飾手段１８の内、その一方の発光表示部３５から予告演出画像３３、他方の発光表示部３５へと発光部分が移動するように表示させてもよい。
【００８３】
図２２の場合には、画像表示部２１の上下、左右に配置された４個の可動電飾手段１８は、各可動電飾体３７の回転動作の途中において、その発光表示部３５が左右方向、上下方向の一直線上に位置するようになっている。そして、各発光表示部３５が左右方向、上下方向の一直線上に位置したときに、それに同期して各発光表示部３５が発光表示すると共に、画像表示部２１に各２個の発光表示部３５に共通の予告演出画像３３が十字状に表示されるようになっている。
【００８４】
これらの場合には、画像表示部２１に共通の予告演出画像３３が表示されるので、画像表示部２１を挟んでその両側の各発光表示部３５に跨がる範囲が発光することになり、発光表示の範囲をより長く採ることができる。
【００８５】
なお、図２２の場合に各可動電飾手段１８は発光表示部３５の向きを略水平状としておき、上下２個の可動電飾手段１８と左右２個の可動電飾手段１８とで可動電飾体３７の回転速度を変える等により、各可動電飾手段１８の発光表示部３５が十字状に交差する直線上に停止させてもよい。
【００８６】
また上下２個の可動電飾手段１８の発光表示部３５を通常上下方向に配置しておき、上下、左右の各２個の可動電飾体３７が略９０度回転したときに、その各可動電飾体３７の回転動作中に、又は一旦停止させた後に発光表示部３５と予告演出画像３３とが十字方向に発光するようにしてもよい。
【００８７】
図２３は本発明の第８の実施例を例示する。この実施例では、画像表示部２１の四隅に可動電飾手段１８が配置されている。遊技球の落下通路８４と対応する左下の可動電飾手段１８は、第６の実施例と同様に遊技球の移動に支障を来さないように設ける必要がある。可動電飾体３７は発光表示部３５の延長線が画像表示部２１の中心又はその近傍を通り、しかも対角線方向の可動電飾体３７の発光表示部３５の延長線が略平行となる状態で停止している。なお、各可動電飾手段１８は所定の範囲α内で往復回転可能である。また発光表示部３５、予告演出画像３３を発光表示させる際の表示パターンは、可動電飾体３７の位置によって異なるように複数種類ある。
【００８８】
このように構成すれば、例えば各可動電飾手段１８の可動電飾体３７が停止位置を中心として往復回転したときに、画像表示部２１の予告演出画像３３が斜め井桁状に交差する等、４個の予告演出画像３３を絡ませながら予告演出を行うことができる。従って、第６の実施例と同様の効果を得ることが可能である。
【００８９】
図２４は本発明の第９の実施例を例示する。この実施例では、画像表示部２１の左右両側に上下位置を変えて可動電飾体３７が配置され、その各可動電飾体３７の発光表示部３５の延長線が画像表示部２１上で交差するときに、発光表示部３５が発光し、画像表示部２１がその延長線上に予告演出画像３３を交差状に表示するようになっている。
【００９０】
このように画像表示部２１上に予告演出画像３３を交差状に表示するに際しても、画像表示部２１を挟んで各可動電飾手段１８を必ずしも略対称に配置する必要はなく、非対称位置に配置してもよい。各可動電飾手段１８を上下に配置する場合にも同様である。
【００９１】
図２５は本発明の第１０の実施例を例示する。この実施例では、往復回転式の可動電飾体３７の一部にその径方向に長孔８５が形成され、その長孔８５に駆動手段４１の出力軸４４の偏心ピン８６が摺動自在に嵌合されている。なお、長孔８５は可動電飾体３７の外周に突出する突出部８７に設けられている。
【００９２】
この場合には、駆動手段４１の出力軸４４を一方向に回転させることにより、偏心ピン８６、長孔８５を介して可動電飾体３７を支軸８８廻りに往復回転させることができる。従って、可動電飾体３７の往復回転を容易に制御できる。なお、揺動式の場合にも、同様に構成してもよい。
【００９３】
以上、本発明の各実施例について詳述したが、本発明はこの各実施例に限定されるものではなく、本発明の趣旨を逸脱しない範囲で種々の変更が可能である。例えば、各実施例では、可動電飾体３７が往復回転する往復回転式、３６０度以上の範囲で全回転する全回転式、往復揺動する往復揺動式の可動電飾手段１８を例示しているが、可動電飾手段１８は直線移動式等、他の運動形式で移動するものでもよい。また揺動式の可動電飾手段１８の場合には、画像表示部２１との相対位置に応じて上下揺動式の他、左右揺動式でもよい。
【００９４】
可動電飾手段１８の演出動作に同期して発光表示部３５が発光表示し、且つ画像表示部２１が演出画像３３を発光表示するが、途中で停止状態を含むか否かを問わず、例えば可動電飾体３７の回転動作の開始から終了まで続く可動電飾手段１８の演出動作と所定の同期関係で発光表示部３５、演出画像３３が発光表示すればよい。
【００９５】
従って、例えば可動電飾体３７の回転に先行して発光表示部３５、演出画像３３が発光し、その直後に可動電飾体３７が回転動作を開始する場合、発光表示部３５が発光（又は点滅発光）状態で可動電飾体３７が回転動作を開始し、可動電飾体３７の回転動作の終了直後に発光表示部３５の発光終了の直前に演出画像３３が発光表示する場合にも、可動電飾手段１８の演出動作と、発光表示部３５の発光表示、演出画像３３の発光表示は同期関係にある。なお、可動電飾体３７を作動させる場合には、その発光表示部３５は適宜タイミングで発光させて、遊技者が可動電飾体３７の作動を容易に認識できるようにすることが望ましい。
【００９６】
可動電飾体３７は発光表示部３５の延長線が画像表示部２１の表示領域を通るように停止させてもよいし、延長線が表示領域外を通るように停止させてもよい。また可動電飾体３７の発光表示部３５はその幅の大小により帯状、筋状でもよい。更に可動電飾体３７の発光表示部３５、画像表示部２１の予告演出画像３３は略直線状とし、発光表示部３５の延長線が画像表示部２１の表示領域を通るときに、発光表示部３５の発光表示に同期して延長線上に予告演出画像３３を表示するのが望ましいが、必ずしも発光表示部３５、予告演出画像３３が略直線状である必要はなく、発光表示部３５が円弧状、くの字状に湾曲又は屈曲して、可動電飾体３７の動作時にその端部が画像表示部２１の表示領域に向く等して、その発光表示部３５と所定の連続性又は関連性をもって画像表示部２１に予告演出画像３３を発光表示できる関係にあればよい。
【００９７】
従って、発光表示部３５は帯状又は筋状であればよく、また予告演出画像３３は発光表示部３５と同程度の帯状又は筋状でもよいし、発光表示部３５よりも幅の広い物でもよい。予告演出画像３３は例えば発光表示部３５近傍の幅が狭く、発光表示部３５から離れるに従って幅が広くなるものでもよい。また予告演出画像３３は、発光表示部３５の延長線上で画像表示部２１の表示領域の全長に表示する必要はなく、その延長線上の一定の範囲に部分的に表示してもよい。
【００９８】
可動電飾体３７の発光表示部３５を発光表示させる発光素子３８は電気配線を必要とするため、断線等の問題を防止する上からは可動電飾体３７から分離して固定側に設けるのが望ましいが、発光表示部３５に対応して可動電飾体３７に設けてもよい。その場合には導光体３９、発光基板４９も可動電飾体３７に設けることになる。
【００９９】
また実施例では、可動電飾手段１８の発光表示部３５の発光表示と、画像表示部２１に表示される予告演出画像３３とにより、特別図柄の変動後に発生する可能性のある大当たり遊技の予告演出を例示しているが、遊技中に発生する特定の遊技状態を演出するものであれば予告演出以外の演出を行うようにしてもよい。
【０１００】
可動電飾体３７の動作、発光表示部３５の発光表示、画像表示部２１の演出画像３３の発光表示を組み合わせた複数種類の演出パターンがあり、予告演出決定手段７３が演出を行う旨の決定をしたときに、その決定に基づいて演出パターン選択手段が図柄変動後に大当たり遊技となる信頼度に対応する演出パターンを選択して、可動演出制御手段７５、発光演出制御手段７６、演出画像制御手段７４がその演出パターンに従って可動電飾体３７、発光表示部３５、予告演出画像３３を夫々同期して制御するようにしてもよい。
【０１０１】
可動電飾手段１８は画像表示部２１の近傍であれば、各実施例に例示する位置以外の位置に配置してもよい。また可動電飾手段１８は１個でもよいし、２個以上の複数個でもよい。また複数個の可動電飾手段１８を設けて、その発光表示部３５の発光表示に同期して画像表示部２１に表示さる演出画像３３を交差させる場合、その全部の演出画像３３が交差するように表示してもよいし、一部の演出画像３３が交差するように表示してもよい。更にパチンコ機の他、アレンジボール機等の弾球遊技機は勿論のこと、スロットマシン等の各種の遊技機においても同様に実施可能である。
【図面の簡単な説明】
【０１０２】
【図１】本発明の第１の実施例を示すパチンコ機の斜視図である。
【図２】同遊技盤の正面図である。
【図３】同可動演出体を含む要部の平面断面図である。
【図４】同可動電飾手段を含む要部の正面断面図である。
【図５】同可動電飾手段側の背面断面図である。
【図６】同制御系のブロック図である
【図７】同演出図柄の図柄変動の説明図である。
【図８】同予告演出の説明図である。
【図９】同予告演出のタイムチャートである。
【図１０】同予告演出のタイムチャートである。
【図１１】同予告演出のタイムチャートである。
【図１２】同予告演出のタイムチャートである。
【図１３】本発明の第２の実施例を示す可動演出体を含む要部の平面断面図である。
【図１４】本発明の第３の実施例を示す可動演出体を含む要部の平面断面図である。
【図１５】同可動電飾手段側の正面断面図である。
【図１６】本発明の第４の実施例を示す可動演出体を含む要部の平面断面図である。
【図１７】同要部の一部破断正面図である。
【図１８】本発明の第５の実施例を示す遊技盤の正面図である。
【図１９】本発明の第６の実施例を示す遊技盤の正面図である。
【図２０】同可動電飾手段を含む要部の平面断面図である。
【図２１】本発明の第７の実施例を示す遊技盤の正面図である。
【図２２】同遊技盤の正面図である。
【図２３】本発明の第８の実施例を示す遊技盤の正面図である。
【図２４】本発明の第９の実施例を示す遊技盤の正面図である。
【図２５】本発明の第１０の実施例を示す可動演出体を含む要部の平面断面図である。
【符号の説明】
【０１０３】
１３  画像表示手段
１８  可動電飾手段
２１  画像表示部
３２ａ〜３２ｃ  演出図柄
３３  予告演出画像
３５  発光表示部
３７  可動電飾体
７５  可動演出制御手段
７６  発光演出制御手段
【図１】
2010119558.tif 000003
【図２】
2010119558.tif 000004
【図３】
2010119558.tif 000005
【図４】
2010119558.tif 000006
【図５】
2010119558.tif 000007
【図６】
2010119558.tif 000008
【図７】
2010119558.tif 000009
【図８】
2010119558.tif 000010
【図９】
2010119558.tif 000011
【図１０】
2010119558.tif 000012
【図１１】
2010119558.tif 000013
【図１２】
2010119558.tif 000014
【図１３】
2010119558.tif 000015
【図１４】
2010119558.tif 000016
【図１５】
2010119558.tif 000017
【図１６】
2010119558.tif 000018
【図１７】
2010119558.tif 000019
【図１８】
2010119558.tif 000020
【図１９】
2010119558.tif 000021
【図２０】
2010119558.tif 000022
【図２１】
2010119558.tif 000023
【図２２】
2010119558.tif 000024
【図２３】
2010119558.tif 000025
【図２４】
2010119558.tif 000026
【図２５】
2010119558.tif 000027